(57)【要約】【課題】光源部を着脱可能に装着するソケットを備えた照明器具において、光源部の装着を容易にして、器具の外観を薄型化する。【解決手段】照明器具１は、平板形状の光源部２と、光源部２を着脱可能に装着するソケット３と、を備える。光源部２は、ソケット３に装着される装着面２１に凸設されソケット３との係合に用いられる保持部４を有する。ソケット３は、保持部４と嵌合及び係合する係止部５を有する。保持部４は、装着面２１と平行な方向にスライド可能なスライド爪４１、４２を有し、スライド爪４１、４２は、保持部４が係止部５に嵌合したときに係止部５と係合する。保持部４を係止部５に嵌合させるだけでスライド爪４１、４２が係止部５と係合するので、容易に光源部２をソケット３に装着することができる。また、例えば、ソケット３を施工面に埋設すれば、施工面からは平板形状の光源部２のみが突出するので、照明器具１の外観を薄型化することができる。【選択図】図１
2014103100.tif 000002
【特許請求の範囲】
【請求項１】
平板形状の光源部と、この光源部を着脱可能に装着するソケットと、を備えた照明器具であって、
前記光源部は、前記ソケットに装着される装着面に凸設又は凹設され前記ソケットとの係合に用いられる保持部を有し、
前記ソケットは、前記保持部と嵌合及び係合する係止部を有し、
前記保持部及び係止部の一方は、前記装着面と平行な方向にスライド可能なスライド爪を有し、
前記スライド爪は、前記保持部が前記係止部に嵌合したときに、前記保持部又は係止部に当接してスライド移動することで該保持部又は係止部と係合することを特徴とする照明器具。
【請求項２】
前記スライド爪は、前記保持部又は係止部に複数設けられ、
複数の前記スライド爪は、互いに異なる方向に付勢されていることを特徴とする請求項１に記載の照明器具。
【請求項３】
前記スライド爪は、一対設けられ、
一対の前記スライド爪は、互いに反対側の方向に付勢されていることを特徴とする請求項２に記載の照明器具。
【請求項４】
前記スライド爪は、３つ以上設けられ、
３つ以上の前記スライド爪は、互いに所定の角度を隔てた方向で、かつ前記照明器具の器具中心方向又は該照明器具の中心から放射方向に付勢されていることを特徴とする請求項２に記載の照明器具。
【請求項５】
複数の前記スライド爪のうち少なくとも一のスライド爪に対する付勢力は、他のスライド爪に対する付勢力よりも大きいことを特徴とする請求項２乃至請求項４のいずれか一項に記載の照明器具。
【請求項６】
前記スライド爪の各々は、互いに個数又は相対位置が異なる凸部又は凹部を有し、
前記スライド爪と係合する前記保持部又は係止部は、前記凸部又は凹部と嵌り合う凹部又は凸部を有し、
前記保持部は、所定の向きでしか前記係止部に係合しないことを特徴とする請求項２乃至請求項５のいずれか一項に記載の照明器具。
【請求項７】
前記光源部は、前記装着面に立設され前記光源部に給電するための一対の給電端子を有し、
前記ソケットは、前記一対の給電端子と電気的に接続される一対の端子受け部を有し、
前記一対の給電端子は、前記保持部が前記係止部に係合したときに、前記一対の端子受け部に接続されることを特徴とする請求項１乃至請求項６のいずれか一項に記載の照明器具。
【請求項８】
前記一対の端子受け部の各々は、前記ソケットを前記光源部に相対する取付面側から見たときに、互いに平行に伸びる形状とされ、かつ前記平行方向における前記取付面の一端側及び他端側に偏って配置されていることを特徴とする請求項７に記載の照明器具。
【請求項９】
前記ソケットは、該ソケットを施工面に固定するための一対のソケット固定部を有し、
前記一対のソケット固定部は、前記ソケットを前記取付面側から見たときに、前記係止部に隣接して、かつ前記ソケットの中心に対して互いに点対称に配置されていることを特徴とする請求項１乃至請求項８のいずれか一項に記載の照明器具。
【請求項１０】
前記ソケットは、該ソケットの外周縁に内接して設けられ凹状に切り欠かれた切り欠き部と、前記切り欠き部に設けられ配電線を接続するための配電線接続部と、を有することを特徴とする請求項１乃至請求項９のいずれか一項に記載の照明器具。
【請求項１１】
前記ソケットは、施工面に埋設されていることを特徴とする請求項１乃至請求項１０のいずれか一項に記載の照明器具。
【発明の詳細な説明】
【技術分野】
【０００１】
本発明は、有機ＥＬ素子を光源とする照明器具に関する。
【背景技術】
【０００２】
有機ＥＬ素子は、低電圧で高輝度の発光が可能であり、含有する有機化合物の種類によって様々な発光色が得られ、また、平板状の発光パネルとしての製造が容易であるので、近年、照明器具の光源として用いることが注目されている。
【０００３】
図２２に示すように、この種の照明器具１０は、有機ＥＬ素子を光源とする光源部２０と、光源部２０の側方に配置され光源部２０を点灯制御する点灯装置３０と、光源部２０と点灯装置３０とを接続する配電線４０と、を備える（例えば、特許文献１参照）。光源部２０は、平板形状とされ、一対の支持部５０ａ、５０ｂに設けられた溝６０ａ、６０ｂに着脱可能にスライド挿入されている。光源部２０を着脱可能とすることで、例えば、光源部２０の有機ＥＬ素子の発光寿命が経過したときや光源部２０が故障したときに、光源部２０を容易に交換することができる。
【先行技術文献】
【特許文献】
【０００４】
【特許文献１】特開２００７−１４９４７６号公報
【発明の概要】
【発明が解決しようとする課題】
【０００５】
しかしながら、上述したような照明器具１０では、光源部２０を溝６０ａ、６０ｂにスライド挿入して装着するので、特に、光源部２０が大きい場合には、光源部２０の取付が難しくなることがある。また、光源部２０の側方に点灯装置３０が配置されているので、照明器具１０の厚みが大きくなる。
【０００６】
本発明は、上記課題を解決するものであって、光源部を着脱可能に装着するソケットを備えた照明器具において、光源部の装着が容易で、器具の外観を薄型化することができる照明器具を提供することを目的とする。
【課題を解決するための手段】
【０００７】
本発明の照明器具は、平板形状の光源部と、この光源部を着脱可能に装着するソケットと、を備え、前記光源部は、前記ソケットに装着される装着面に凸設又は凹設され前記ソケットとの係合に用いられる保持部を有し、前記ソケットは、前記保持部と嵌合及び係合する係止部を有し、前記保持部及び係止部の一方は、前記装着面と平行な方向にスライド可能なスライド爪を有し、前記スライド爪は、前記保持部が前記係止部に嵌合したときに、前記保持部又は係止部に当接してスライド移動することで該保持部又は係止部と係合することを特徴とする。
【０００８】
前記スライド爪は、前記保持部又は係止部に複数設けられ、複数の前記スライド爪は、互いに異なる方向に付勢されていることが好ましい。
【０００９】
前記スライド爪は、一対設けられ、一対の前記スライド爪は、互いに反対側の方向に付勢されていることが好ましい。
【００１０】
前記スライド爪は、３つ以上設けられ、３つ以上の前記スライド爪は、互いに所定の角度を隔てた方向で、かつ前記照明器具の器具中心方向又は該照明器具の中心から放射方向に付勢されていることが好ましい。
【００１１】
複数の前記スライド爪のうち少なくとも一のスライド爪に対する付勢力は、他のスライド爪に対する付勢力よりも大きいことが好ましい。
【００１２】
前記スライド爪の各々は、互いに個数又は相対位置が異なる凸部又は凹部を有し、前記スライド爪と係合する前記保持部又は係止部は、前記凸部又は凹部と嵌り合う凹部又は凸部を有し、前記保持部は、所定の向きでしか前記係止部に係合しないことが好ましい。
【００１３】
前記光源部は、前記装着面に立設され前記光源部に給電するための一対の給電端子を有し、前記ソケットは、前記一対の給電端子と電気的に接続される一対の端子受け部を有し、前記一対の給電端子は、前記保持部が前記係止部に係合したときに、前記一対の端子受け部に接続されることが好ましい。
【００１４】
前記一対の端子受け部の各々は、前記ソケットを前記光源部に相対する取付面側から見たときに、互いに平行に伸びる形状とされ、かつ前記平行方向における前記取付面の一端側及び他端側に偏って配置されていることが好ましい。
【００１５】
前記ソケットは、該ソケットを施工面に固定するための一対のソケット固定部を有し、前記一対のソケット固定部は、前記ソケットを前記取付面側から見たときに、前記係止部に隣接して、かつ前記ソケットの中心に対して互いに点対称に配置されていることが好ましい。
【００１６】
前記ソケットは、該ソケットの外周縁に内接して設けられ凹状に切り欠かれた切り欠き部と、前記切り欠き部に設けられ配電線を接続するための配電線接続部と、を有することが好ましい。
【００１７】
前記ソケットは、施工面に埋設されていることが好ましい。
【発明の効果】
【００１８】
本発明によれば、光源部の保持部をソケットの係止部に嵌合させるだけでスライド爪が保持部又は係止部と係合するので、容易に光源部をソケットに装着することができる。また、例えば、ソケットを施工面に埋設すれば、施工面からは平板形状の光源部のみが突出するので、照明器具の外観を薄型化することができる。
【図面の簡単な説明】
【００１９】
【図１】本発明の実施形態に係る照明器具の分解斜視図。
【図２】上記照明器具を構成する光源部の平面図。
【図３】上記光源部の分解斜視図及びその一部拡大図。
【図４】図３のＩ方向から見た上記光源部の分解側面図。
【図５】図３のＩＩ方向から見た上記光源部の分解側面図。
【図６】上記照明器具を構成するソケットを取付面側から見た斜視図。
【図７】（ａ）は上記ソケットを取付面側から見た平面図、（ｂ）は（ａ）のＩ−Ｉ線断面図。
【図８】上記ソケットを取付面側から見た分解斜視図。
【図９】上記ソケットを取付面とは反対側の面から見た分解斜視図。
【図１０】上記光源部をソケットに装着した状態における照明器具の断面図及びその一部拡大図。
【図１１】（ａ）乃至（ｄ）は、上記光源部をソケットに装着するときの動作を示す側断面図。
【図１２】上記光源部をソケットに誤った方向で取り付けようとしたときの照明器具の部分断面斜視図及びその一部拡大図。
【図１３】図１２に示した照明器具の側面図。
【図１４】（ａ）乃至（ｃ）は、上記実施形態の変形例に係る照明器具を構成する光源部及びソケットの斜視図。
【図１５】（ａ）は図１４（ｂ）に示した照明器具の変形例を壁付けしたときの様子を示す平面図、（ｂ）は（ａ）に示した照明器具におけるスライド爪に対する付勢力の強度関係を示す図。
【図１６】他の実施形態に係る照明器具の分解斜視図。
【図１７】（ａ）は上記照明器具を壁付けしたときの様子を示す平面図、（ｂ）は（ａ）に示した照明器具におけるスライド爪に対する付勢力の強度関係を示す図。
【図１８】別の実施形態に係る照明器具を構成するソケットの斜視図。
【図１９】上記ソケットを施工面に取り付けたときの斜視図。
【図２０】更に別の実施形態に係る照明器具の分解斜視図。
【図２１】（ａ）乃至（ｃ）は、上記照明器具において光源部をソケットに装着するときの動作を示す側断面図。
【図２２】従来の照明器具の側断面図。
【発明を実施するための形態】
【００２０】
本発明の実施形態に係る照明器具について、図１乃至図１３を参照して説明する。図１に示すように、照明器具１は、矩形平板状の光源部２と、光源部２を着脱可能に装着する円盤状のソケット３と、を備える。光源部２は、ソケット３に装着される装着面２１にソケット３との係合に用いられる保持部４を有し、装着面２１とは反対側の面から光を照射する。保持部４は、装着面２１の中央に凸設されている。ソケット３は、天井や壁面等の施工面に埋設され、保持部４と嵌合及び係合する係止部５を有する。
【００２１】
図２乃至図５に示すように、光源部２の保持部４は、一対のスライド爪４１、４２を有する。スライド爪４１、４２は、バネ４３によって装着面２１の中央から装着面２１と平行で互いに反対側の方向に弾性付勢されており、以下では、バネ４３により付勢されている方向を付勢方向という。スライド爪４１、４２は、付勢方向における器具外方側の端部に係止部５と係合する係合端４１’、４２’を有する。係合端４１’、４２’は、互いに個数又は相対位置が異なる凸部４４を有し、図例では、係合端４１’が、自身の両端部の各々に設けられた２つの凸部４４を有し、係合端４２’が、自身の中央に設けられた１つの凸部４４を有する。
【００２２】
また、スライド爪４１、４２は、付勢方向に直交して装着面２１と平行な方向に伸びる一対の突起４５ａ、４５ｂを有する。突起４５ａ、４５ｂは、装着面２１から立設され突起４５ａ、４５ｂの付勢方向における移動を規制する規制部４６ａ、４６ｂに挿入される。規制部４６ａ、４６ｂは、突起４５ａ、４５ｂが嵌り込んで付勢方向にスライドするスライド溝４７ａ、４７ｂと、スライド溝４７ａ、４７ｂの付勢方向両端部の各々に設けられた壁４８ａ、４８ｂと、を有する。このように構成することで、スライド爪４１、４２は、突起４５ａ、４５ｂがスライド溝４７ａ、４７ｂ内で移動する範囲において、付勢方向に沿い、かつ装着面２１と平行な方向にスライド可能となる。
【００２３】
また、光源部２は、一方の面を発光面とする矩形平板状の発光パネル６と、発光パネル６の非発光面側に配され発光パネル６への給電に用いられるプリント基板７と、を有する。発光パネル６は、矩形平板状の有機ＥＬ素子６１を有する（図３参照）。有機ＥＬ素子６１は、例えば、発光面側から順に、透光性基板、ＩＴＯ等から成る透明電極、有機発光材料を含む発光層、光を反射する金属電極が積層されたものにより構成される。更に、光源部２は、プリント基板７を覆うケース２２と、ケース２２に係合して発光パネル６の発光面側を覆う透光性のカバー２３と、を有する。上述した保持部４は、ケース２２のプリント基板７と相対する面とは反対側の面（装着面２１）に設けられている。
【００２４】
プリント基板７は、発光パネル６の外周に沿うように形成された枠状部７１と、枠状部７１から発光パネル６の内方に向けて延設された一対の帯状部７２、７３と、を有する。帯状部７２、７３の端部には、ソケット３との電気的接続に用いられる一対の給電端子７４、７５が接合される。給電端子７４、７５は、Ｌ字状に成形された導電性金属板により構成され、その一端部は半田７６（図３参照）により帯状部７２、７３上に接合され、他端部はケース２２に設けられた一対の穴２４を通って装着面２１上に立設される。
【００２５】
プリント基板７は、柔軟性を有するフレキシブルプリント基板（ＦＰＣ）により構成されている。ＦＰＣを用いることで、光源部２を組み立てるときに、帯状部７２、７３上に接合された給電端子７４、７５を穴２４に通してネジ７７（図４及び図５参照）によりケース２２の内側にネジ止めしてから、ケース２２をカバー２３に係合させることができる。これにより、光源部２の組み立てが容易になる。なお、プリント基板７は、ＦＰＣに限定されず、例えば、柔軟性を有さないガラスエポキシ基板により構成されてもよい。この場合には、給電端子７４、７５を穴２４に通してケース２２をカバー２３に係合させてから、ケース２２の外側より給電端子７４、７５をネジ止めする。
【００２６】
ケース２２は、プリント基板７と相対する面に開口を有する扁平な矩形の箱体とされる。ケース２２は、その外周に設けられカバー２３との係合に用いられる複数の引っかかり部２５と、半田７６の盛り上がり及びネジ７７のネジ先を逃がすための一対の逃がし部２６と、を有する。カバー２３は、発光パネル６と相対する面に開口を有する扁平な矩形の箱体とされ、その内周にケース２２の引っ掛かり部２５と係合する複数の引っ掛け部２７を有する。カバー２３は、発光パネル６、プリント基板７及びケース２２を収納することができる大きさに構成され、光源部２の発光面及び側面を覆っている。
【００２７】
図６及び図７に示すように、ソケット３の係止部５は、ソケット３の光源部２と相対する取付面３２に凹設されている。係止部５は、光源部２の保持部４が嵌め入れられる窪み部５０と、窪み部５０の内側に設けられ保持部４のスライド爪４１、４２と係合する係止爪５１、５２と、を有する。図例では、窪み部５０は、ソケットの中央に設けられた矩形状の開口により構成され、係止爪５１、５２は、この開口の互いに対向する内周面の各々に設けられている。係止爪５１は、スライド爪４１の２つの凸部４４の各々と嵌り合う２つの凹部５３を有する。係止爪５２は、スライド爪４２の１つの凸部４４と嵌り合う１つの凹部５３を有する。
【００２８】
また、ソケット３は、取付面３２に、光源部２の給電端子７４、７５が挿通される一対の挿通孔３３、３４と、光源部２の逃がし部２６が嵌る一対の嵌り部３５と、を有する。挿通孔３３、３４の直下には、給電端子７４、７５と電気的に接続される一対の端子受け部８１、８２（図７（ａ）参照）が設けられている。端子受け部８１、８２は、給電端子７４、７５を挟持する端子挟持部８３、８４を有する。給電端子７４、７５は、光源部２の保持部４がソケット３の係止部５に係合したときに、端子挟持部８３、８４に挟持されて端子受け部８１、８２と電気的に接続される。これにより、光源部２とソケット３との係合及び電気的接続を同時に行うことができる。
【００２９】
端子受け部８１、８２は、ソケット３を取付面３２側から見たときに互いに平行に伸びる形状とされ、この平行方向Ｄ（図７（ａ）参照）における取付面３２の一端側（図例では下側）及び他端側（図例では上側）に偏って配置されている。また、端子挟持部８３、８４は、取付面３２の他端側及び一端側に偏って配置されている。端子受け部８１、８２は、ソケット３に内蔵された回路基板９（後述参照）を介して配電線接続部と電気的に接続されている。配電線接続部は、図例では、速結端子台９１、９２により構成されている。なお、配電線接続部は、コネクタや半田付け部等により構成されていてもよい。速結端子台９１、９２は、配電線を介して外部電源と接続され、これにより、外部電源から供給された電力は、配電線、速結端子台９１、９２、回路基板９、端子受け部８１、８２、給電端子７４、７５を経て光源部２に供給される。速結端子台９１、９２は、ソケット３を取付面３２側から見たときに、取付面３２の一端及び他端に配置されている。このように端子受け部８１、８２及び速結端子台９１、９２を配置することで、端子挟持部８３と速結端子台９１との間隔及び端子挟持部８４と速結端子台９２との間隔を大きくして、端子受け部８１、８２の設計自由度を高めることができる。
【００３０】
また、ソケット３は、ソケット３を施工面にネジ止めするためのネジ（不図示）が挿通される一対のソケット固定部３６ａ、３６ｂを有する。ソケット固定部３６ａ、３６ｂは、ソケット３を取付面３２側から見たときに、係止部５に隣接して、かつソケット３の中心Ｃ（図７（ａ）参照）に対して互いに点対称に配置されている。このようにすることで、ソケット３から光源部２を取り外すときに最も強い荷重がかかる係止部５の近傍においてソケット３を施工面に固定することができるので、光源部２を取り外すときのソケット３のぐらつきを防止することができる。
【００３１】
図８及び図９に示すように、ソケット３は、回路基板９と、回路基板９の一面側を覆うソケットボディ３７と、ソケットボディ３７に係合して回路基板９の他面側を覆うソケットカバー３８と、を有する。ソケットボディ３７は、その中央に窪み部５０を有する箱型形状とされ、ドーナツ状に構成された回路基板９を収納する。ソケットボディ３７には、上述した係止部５、挿通孔３３、３４、嵌り部３５及びソケット固定部３６ａ、３６ｂが設けられている。
【００３２】
図１０は、光源部２のスライド爪４１、４２とソケット３の係止爪５１、５２とが互いに係合した状態を示す。スライド爪４１は、係止爪５１と係合したときに係止爪５１と接触する係合面４１ａと、頂部４１ｂと、頂部４１ｂを挟んで係合面４１ａとは反対側にある非係合面４１ｃと、を有する。頂部４１ｂは、係合面４１ａの基部４１ｄと非係合面４１ｃの基部４１ｅとの間に位置する。スライド爪４２も、スライド爪４１と同一の構造を有する。
【００３３】
一方、係止爪５１は、スライド爪４１と係合したときにスライド爪４１と接触する係合面５１ａと、頂部５１ｂと、頂部５１ｂを挟んで係合面５１ａとは反対側にある非係合面５１ｃと、を有する。頂部５１ｂは、係合面５１ａの基部５１ｄと非係合面５１ｃの基部５１ｅとの間に位置する。係止爪５２も、係止爪５１と同一の構造を有する。
【００３４】
次に、光源部２をソケット３に装着するときの動作について図１１（ａ）乃至（ｄ）を参照して説明する。上述したように、光源部２のスライド爪４１、４２は、互いに同一の構造を有し、ソケット３の係止爪５１、５２は、互いに同一の構造を有する。そこで、以下の説明では、スライド爪４１と係止爪５１との係合についてのみ説明し、スライド爪４２と係止爪５２との係合についての説明は省略する。
【００３５】
図１１（ａ）に示すように、光源部２をソケット３に装着するには、まず、光源部２の保持部４をソケット３の窪み部５０（係止部５）に嵌合するようにして、スライド爪４１を係止爪５１に押し付ける。そうすると、スライド爪４１と係止爪５１は、互いの非係合面４１ｃ、５１ｃを介して接触し、図１１（ｂ）に示すように、スライド爪４１が、係止爪５１の非係合面５１ｃ上を滑り、バネ４３の弾性力に逆らって器具内方側にスライドする。次いで、図１１（ｃ）に示すように、スライド爪４１の頂部４１ｂが係止爪５１の頂部５１ｂを乗り超えると、スライド爪４１が、係止爪５１の係合面５１ａ上を滑り、バネ４３の弾性力によって器具外方側にスライドする。その結果、図１１（ｄ）に示すように、スライド爪４１と係止爪５１とが各々の係合面４１ａ、５１ａを介して互いに係合し、これにより、光源部２がソケット３に装着される。このように、スライド爪４１は、光源部２の保持部４がソケット３の係止部５に嵌合したときに、係止爪５１に当接してスライド移動することで係止爪５１と係合する。
【００３６】
光源部２をソケット３から取り外すには、図１１（ａ）乃至（ｄ）に示した動作を逆の順序で行えばよい。すなわち、ソケット３に装着された光源部２（図１１（ｄ）参照）をソケット３から引き離すように引っ張れば、図１１（ｃ）、図１１（ｂ）及び図１１（ａ）に示した過程を順に経て、光源部２がソケット３から取り外される。
【００３７】
上述のように、本実施形態の照明器具１によれば、光源部２の保持部４をソケット３の係止部５に嵌め込んで押し付けるだけで保持部４と係止部５とが互いに係合するので、容易に光源部２をソケット３に装着することができる。また、光源部２をソケット３に装着した状態で、光源部２をソケット３から引き離すように引っ張れば保持部４と係止部５との係合が外れるので、容易に光源部２をソケット３から取り外すことができる。このように容易に光源部２をソケット３に対して着脱することができるので、例えば、光源部２の有機ＥＬ素子６１の発光寿命が経過したときや光源部２が故障したときに、光源部２を簡単に交換することができる。更に、光源部２の中央に設けられた保持部４が、施工面に埋設されたソケット３の係止部５に嵌め入れられるので、施工面からは平板形状の光源部２のみが突出して照明器具１の外観を薄型化することができる。
【００３８】
また、スライド爪４１、４２は、互いに個数及び相対位置が異なる凸部４４を有し、係止爪５１、５２は、スライド爪４１、４２の凸部４４と嵌り合う凹部５３を有する。これにより、スライド爪４１は、係止爪５２には係合せず係止爪５１とのみ係合し、スライド爪４２は、係止爪５１には係合せず係止爪５２とのみ係合するので、保持部４が、所定の向きでしか係止部５に係合しない。そのため、仮に、図１２に示すように、スライド爪４２が係止爪５１に係合するような向きで光源部２をソケット３に装着しようとしても、スライド爪４２の凸部４４が係止爪５１の凹部５３に嵌り込まず、光源部２がソケット３に装着されない。この場合、図１３に示すように、光源部２の給電端子７４、７５が、ソケット３の端子挟持部８３、８４により挟持されないので、光源部２とソケット３との電気的接続も起こらない。
【００３９】
次に、上記実施形態の変形例に係る照明器具について、図１４（ａ）乃至（ｃ）を参照して説明する。図１４（ａ）に示すように、照明器具１１の光源部２は、装着面２１に凸設された一対の保持部４ａ、４ｂを有する。保持部４ａ、４ｂは、スライド爪４１、４２を有する。スライド爪４１、４２は、装着面２１の中央に向けて互いに反対側の方向にバネ４３ａ、４３ｂによって弾性付勢されている。一方、ソケット３は、取付面３２に凹設された一対の係止部５ａ、５ｂを有する。係止部５ａ、５ｂは、窪み部５０ａ、５０ｂと、窪み部５０ａ、５０ｂのソケット３内方側に設けられた係止爪５１、５２と、を有する。照明器具１１によれば、保持部４ａ、４ｂが係止部５ａ、５ｂに係合して２点において光源部２がソケット３に保持されるので、光源部２のソケット３に対するがたつきを軽減することができる。
【００４０】
上述した照明器具１、１１では、保持部４にスライド爪４１、４２が設けられ、係止部５に固定された係止爪５１、５２が設けられていたが、保持部４にスライドしない固定爪を設け、係止部５にスライド爪を設けてもよい。図１４（ｂ）に示すように、照明器具１２では、ソケット３の係止部５が、取付面３２の中央に凹設された窪み部５０と、窪み部５０に設けられた一対のスライド爪５４、５５と、を有する。スライド爪５４、５５は、取付面３２の中央に向けて互いに反対側の方向へバネ４３ａ、４３ｂによって弾性付勢されている。一方、光源部２の保持部４は、装着面２１に凸設され、ソケット３のスライド爪５４、５５と係合する保持爪４９ａ、４９ｂを有する。保持爪４９ａ、４９ｂは、固定爪とされる。
【００４１】
また、図１４（ｃ）に示すように、照明器具１３のソケット３では、窪み部５０に設けられた一対のスライド爪５４、５５が、取付面３２の中央から互いに反対側の方向へバネ４３によって弾性付勢されている。光源部２の保持部４は、装着面２１に凸設され、ソケット３のスライド爪５４、５５と係合する保持爪４９ａ、４９ｂを有する。上記照明器具１２、１３によれば、光源部２の保持爪４９ａ、４９ｂが固定爪となっているので、ソケット３よりも交換頻度の高い光源部２の構成を単純にして、光源部２の製造コストを低減すると共に、光源部２の組み立て効率を向上することができる。
【００４２】
次に、図１４（ｂ）に示した照明器具１２の変形例について、図１５（ａ）（ｂ）を参照して説明する。図１５（ａ）に示すように、照明器具１２ａは、壁面Ｗに取り付けられる。なお、図例では、上方を鉛直上方とし、下方を鉛直下方としている。壁付けされた照明器具１２ａでは、図１５（ｂ）に示すように、バネ４３ａによる付勢力Ｆ１（黒矢印で示す）及び光源部２への重力Ｇ（白抜き矢印で示す）が、光源部２に対して鉛直下方にかかる。ここで、重力Ｇは、光源部２の質量Ｍに重力加速度ｇを乗じたものである。一方、鉛直上方には、バネ４３ｂによる付勢力Ｆ２（ドット矢印で示す）がかかり、鉛直上方にかかる力の総和（２ｘＦ２）が、鉛直下方にかかる力の総和（２ｘＦ１＋Ｇ）と等しくなるようにバネ４３ａ、４３ｂの付勢力が調整されている。このようにスライド爪５５に対する付勢力をスライド爪５４に対する付勢力よりも大きくすることで、照明器具１２ａを壁付けしたときに、光源部２が自重によってソケット３に対して鉛直下方に位置ずれすることを防止できる。
【００４３】
次に、他の実施形態に係る照明器具について、図１６及び図１７を参照して説明する。図１６に示すように、照明器具１４では、光源部２の保持部４が、３つのスライド爪４１、４２、４０を有し、これらスライド爪４１、４２、４０は、互いに１２０度の角度を隔てた方向で、かつ照明器具１４（光源部２）の中心から放射方向にバネ４３ａ、４３ｂ、４３ｃによって付勢されている。ソケット３の係止部５は、平面視六角形状の窪み部５０と、窪み部５０の一辺置きに設けられスライド爪４１、４２、４０と係合する係止爪５１、５２、５２ａと、を有する。係止爪５１、５２、５２ａは、窪み部５０の一辺に亘って設けられている。係止爪５１、５２、５２ａのスライド爪４１、４２、４０との係合箇所の幅Ｗ１（図１７（ａ）参照）は、スライド爪４１、４２、４０の係止爪５１、５２、５２ａとの係合箇所の幅Ｗ２よりも大きく構成されている。このようにすることで、光源部２をソケット３に装着する際に、光源部２がソケット３に対して多少位置ずれしていたとしてもスライド爪４１、４２、４０が係止爪５１、５２、５２ａに係合するので、簡単に光源部２をソケット３に装着することができる。
【００４４】
図１７（ａ）に示すように、照明器具１４は、例えば、バネ４３ｃの伸びる方向が鉛直方向と一致した状態で壁面Ｗに取り付けられる。このとき、図１７（ｂ）に示すように、バネ４３ｃによる付勢力Ｆ１（黒矢印で示す）と光源部２にかかる重力Ｇ（白抜き矢印で示す）が、光源部２に対して鉛直下方にかかる。一方、鉛直上方には、バネ４３ａ、４３ｂによる付勢力Ｆ２、Ｆ３（灰色矢印で示す）の合力Ｆ４（ドット矢印で示す）がかかり、この合力Ｆ４が、鉛直下方にかかる力の総和（Ｆ１＋Ｇ）と等しくなるようにバネ４３ａ、４３ｂ、４３ｃの付勢力が調整されている。このようにすることで、照明器具１４を壁付けしたときに、光源部２が自重によりソケット３に対して鉛直下方に位置ずれすることを防止できる。
【００４５】
次に、別の実施形態に係る照明器具について、図１８及び図１９を参照して説明する。図１８に示すように、本照明器具のソケット３は、施工面ＣＰに設けられた丸穴Ｈに埋設される。丸穴Ｈの底面には、施工面ＣＰの裏側から施工面ＣＰの表側に配電線ＣＡを引き出すための配電線引き出し穴ｈ１、ｈ２が設けられている。ソケット３は、ソケット３の外周縁（点線で示す）に内接して設けられ凹状に切り欠かれた切り欠き部３９ａ、３９ｂを有し、この切り欠き部３９ａ、３９ｂに配電線接続部として速結端子台９１、９２が設けられている。切り欠き部３９ａ、３９ｂは、ソケット３を丸穴Ｈに埋設したときに、配電線引き出し穴ｈ１、ｈ２の直下に配置される。このようにすることで、図１９に示すように、ソケット３を丸穴Ｈに埋設したときに、配電線ＣＡをソケット３の取付面３２の方に引き出すことができるので、容易に配電線ＣＡを速結端子台９１、９２に接続することができる。
【００４６】
次に、更に別の実施形態に係る照明器具について、図２０及び図２１を参照して説明する。上述した実施形態では、光源部２の保持部４が凸設され、ソケット３の係止部５が凹設されていた。これに対して、本実施形態では、光源部２の保持部４が凹設され、ソケット３が実質的に係止爪５１、５２のみにより構成された凸状となっている。
【００４７】
図２０に示すように、照明器具１５の光源部２は、矩形平板状とされ、装着面２１の中央に凹設された矩形状の窪み部２０と、窪み部２０に収容された保持部４と、を有する。保持部４は、窪み部２０の一側面に一端が固定されたバネ４３ａと、バネ４３ａの他端に取り付けられたスライド爪４１と、窪み部２０の一側面とは対向する側面に一端が固定されたバネ４３ｂと、バネ４３ｂの他端に取り付けられたスライド爪４２と、を有する。スライド爪４１、４２は、各々の係合端４１’、４２’が互いに対向するようにして配置されている。また、光源部２は、回路基板９を内蔵している。回路基板９は、中央がくり抜かれたドーナツ形状とされ、そのくり抜き部分に窪み部２０が配置されている。一方、照明器具１５のソケット３は、スライド爪４１、４２と係合する係止爪５１、５２と、ソケット３を施工面にネジ止めするためのネジ（不図示）が挿通されるソケット固定部３６ａ、３６ｂと、を有する。
【００４８】
図２１（ａ）に示すように、光源部２をソケット３に装着するには、まず、スライド爪４１、４２が、ソケット３の係止爪５１、５２と当接するようにして、光源部２をソケット３に近づける。次いで、図２１（ｂ）に示すように、スライド爪４１、４２が係止爪５１、５２に当接した状態で、光源部２をソケット３の方に押し込むと、スライド爪４１、４２が、バネ４３ａ、４３ｂの付勢力に逆らって器具外方側にスライドする。これにより、図２１（ｃ）に示すように、スライド爪４１、４２が係止爪５１、５２に係合して、光源部２がソケット３に装着される。
【００４９】
このように、光源部２に回路基板９を内蔵して光源部２が分厚くなった場合や、光源部２が分厚くなっても構わない場合には、光源部２の保持部４を凹設し、ソケット３の係止部５を凸設する構成としてもよい。
【００５０】
なお、本発明に係る照明器具は、上記実施形態及びその変形例に限定されず、種々の変形が可能である。例えば、複数のスライド爪の各々に互いに個数又は相対位置が異なる凹部を設け、これら凹部に嵌り込む凸部を係止部に設けることで、保持部が所定の向きでしか係止部に係合しないようにしてもよい。また、４つ以上のスライド爪を互いに所定の角度を隔てた方向で、かつ照明器具の器具中心方向又は該照明器具の中心から放射方向に付勢した構成としてもよい。
【符号の説明】
【００５１】
１、１１、１２、１２ａ、１３、１４、１５  照明器具
２  光源部
２１  装着面
２０、５０、５０ａ、５０ｂ  窪み部
３  ソケット
３２  取付面
３６ａ、３６ｂ  一対のソケット固定部
３９ａ、３９ｂ  切り欠き部
４、４ａ、４ｂ  保持部
４０、４１、４２、５４、５５  スライド爪
４４  凸部
５、５ａ、５ｂ  係止部
５３  凹部
７４、７５  給電端子
８１、８２  端子受け部
９１、９２  速結端子台（配電線接続部）
Ｃ  ソケットの中心
ＣＡ  配電線
ＣＰ  施工面
Ｄ  平行方向
Ｆ１、Ｆ２、Ｆ３、Ｆ４  スライド爪に対する付勢力
【図１】
2014103100.tif 000003
【図２】
2014103100.tif 000004
【図３】
2014103100.tif 000005
【図４】
2014103100.tif 000006
【図５】
2014103100.tif 000007
【図６】
2014103100.tif 000008
【図７】
2014103100.tif 000009
【図８】
2014103100.tif 000010
【図９】
2014103100.tif 000011
【図１０】
2014103100.tif 000012
【図１１】
2014103100.tif 000013
【図１２】
2014103100.tif 000014
【図１３】
2014103100.tif 000015
【図１４】
2014103100.tif 000016
【図１５】
2014103100.tif 000017
【図１６】
2014103100.tif 000018
【図１７】
2014103100.tif 000019
【図１８】
2014103100.tif 000020
【図１９】
2014103100.tif 000021
【図２０】
2014103100.tif 000022
【図２１】
2014103100.tif 000023
【図２２】
2014103100.tif 000024